(57)【特許請求の範囲】
【請求項１】
平面状に展開された表示面を有する表示パネルと、
前記表示面を露出させた状態で前記表示パネルが取り付けられると共に、外側に透明部を有し且つ内側に不透明部を有する枠状の取付フレームと、
前記取付フレームの前記透明部と前記不透明部との境目又はその近傍を覆うカバーフレームと、を備え、
前記取付フレームの前記透明部の少なくとも一部を前記表示パネルの周囲の少なくとも一部に対向させて配置することにより後方を透視可能な透視部を設けたことを特徴とする画像表示装置。
【請求項２】
前記透視部は、前記表示パネルの周囲を連続して囲うように枠状に形成したことを特徴とする請求項１記載の画像表示装置。
【請求項３】
前記取付フレームは、透明材料で作られることにより前記透明部を形成するアウターフレームと、前記アウターフレームに着脱可能に取り付けられると共に不透明材料で作られることにより前記不透明部を形成するインナーフレームと、からなり、
前記アウターフレームと前記インナーフレームを組み合わせることにより前記透明部のうち前記不透明部で覆われた部分を除く部分を前記透視部として形成したことを特徴とする請求項１記載の画像表示装置。
【請求項４】
前記取付フレームは、透明な合成樹脂で作られた１枚の枠体からなり、
前記透視部を除く部分を不透明な合成樹脂で２色成形することにより当該透視部を除く部分を不透明部として形成したことを特徴とする請求項１記載の画像表示装置。
【請求項５】
前記取付フレームは、透明な合成樹脂で作られた１枚の枠体からなり、
前記透視部を除く部分を不透明な塗料で塗装することにより当該透視部を除く部分を不透明部として形成したことを特徴とする請求項１記載の画像表示装置。
【請求項６】
前記アウターフレーム及び前記インナーフレームの少なくとも一方にはスピーカ取付部を設け、当該スピーカ取付部に、１以上のスピーカ装置を有するスピーカユニットを着脱可能に取り付けたことを特徴とする請求項１記載の画像表示装置。
【請求項７】
前記カバーフレームの略全面には、前記スピーカ取付部に取り付けた前記スピーカ装置と対応する位置に形成されると共に音を通過可能である微細な多数の透孔と、表面側にのみ開口されて音を通過不能である微細な多数の不透孔とを設けたことを特徴とする請求項６記載の画像表示装置。
【請求項８】
前記カバーフレームは、前記取付フレームに固定して取り付けたことを特徴とする請求項１記載の画像表示装置。
【請求項９】
前記カバーフレームは、前記取付フレームに対して連結手段を介して着脱可能に取り付けたことを特徴とする請求項１記載の画像表示装置。
【請求項１０】
前記連結手段は、前記カバーフレーム及び前記取付フレームの一方に固定される弾性を有するブシュと、前記カバーフレーム及び前記取付フレームの他方に設けられると共に前記ブシュが着脱可能に係合される係合凸部と、からなることを特徴とする請求項９記載の画像表示装置。
【請求項１１】
前記取付フレームの外縁には補強用のリブ部を形成し、
前記リブ部によって補強された前記取付フレームの外縁に、当該リブ部の形状が連続する方向へ挿入することにより装着されるレール部材を設け、
前記レール部材によって前記取付フレームの外縁を縁取るようにしたことを特徴とする請求項１記載の画像表示装置。
【請求項１２】
前記アウターフレームの外縁には補強用のリブ部を形成し、
前記リブ部によって補強された前記アウターフレームの外縁に、当該リブ部の形状が連続する方向へ挿入することにより装着されるレール部材を設け、
前記レール部材によって前記アウターフレームの外縁を縁取るようにしたことを特徴とする請求項３記載の画像表示装置。
【発明の詳細な説明】
【技術分野】
【０００１】
本発明は、液晶ディスプレイやプラズマディスプレイ等の平面状に展開された表示パネルを備えた画像表示装置に関するものである。
【背景技術】
【０００２】
従来の、この種の画像表示装置としては、例えば、特許文献１に記載されているようなものがある。特許文献１には、スクリーンに画像を表示する平面型画像表示装置に関するものが記載されている。この特許文献１に記載された平面型画像表示装置は、「透明材料によって一体に形成された枠部と該枠部の内周縁に設けられた装置取付部と枠部の外側に設けられた部品取付部とを有するブラケットと、透明材料によって形成されブラケットの前面側に配置される平板状の前面パネルと、スクリーン面を有しブラケットの装置取付部に取り付けられる装置本体部と、前面パネルとブラケットとを前後で結合した状態で保持する保持部材と、ブラケットの部品取付部に取り付けられて前面パネルの外側に配置されると共に電気信号を送受信して所定の機能を発揮する機能部とを備え、装置本体部と機能部との間の電気信号の送受信を行うための信号路をブラケットの内部又は前面パネルとブラケットの境界部に形成した」ことを特徴としている。
【０００３】
このような構成を有する特許文献１に記載の平面型画像表示装置によれば、「信号路が前面パネルやブラケットの外面側に剥き出しとなるようなことがない。また、信号路が剥き出しとなることがないため信号路を覆うカバーも必要とせず、部品点数の削減による製造コストの低減を図ることができる（明細書の段落［００８６］）。」等の効果を得ることができる。
【特許文献１】特開２００４−７２２３９号公報
【０００４】
しかしながら、上述したような従来の平面型画像表示装置においては、平面型画像表示装置は、前面パネルとブラケットと装置本体部とを備えて構成されており、装置本体の前面にブラケットが配置され、そのブラケットの前面に前面パネルが配置されていた。そして、前面パネルとブラケットは保持部材によって結合された状態で保持され、そのブラケットの装置取付部に装置本体部がネジ止めされて取り付けられている。その結果、画像表示装置の模様或いは色のバリエーションが一義的に決定されており、ユーザーが好みの模様・色のバリエーションを自由に選択することができなかった。
【発明の開示】
【発明が解決しようとする課題】
【０００５】
解決しようとする問題点は、従来の平面型画像表示装置では、前面パネルとブラケットと装置本体部とを備えて構成されており、前面パネルとブラケットが保持部材によって結合され、そのブラケットの装置取付部に装置本体部がネジ止めされて取り付けられていたため、画像表示装置の模様や色のバリエーションが一義的に決定されており、ユーザーが好みの模様・色のバリエーションを自由に選択することができない、という点である。
【課題を解決するための手段】
【０００６】
本発明の画像表示装置は、平面状に展開された表示面を有する表示パネルと、表示面を露出させた状態で表示パネルが取り付けられると共に、外側に透明部を有し且つ内側に不透明部を有する枠状の取付フレームと、その取付フレームの透明部と不透明部との境目又はその近傍を覆うカバーフレームと、を備え、取付フレームの透明部の少なくとも一部を表示パネルの周囲の少なくとも一部に対向させて配置することにより後方を透視可能な透視部を設けたことを最も主要な特徴とする。
【発明の効果】
【０００７】
本発明の画像表示装置によれば、表示パネルと取付フレームとカバーフレームとを備え、表示パネルの周囲の少なくとも一部に取付フレームの透明部を配置して後方を透視可能な透視部を設ける構成とすることにより、いわゆるフローティング状態で表示パネルを保持することができると共に、カバーフレームの色のバリエーションを容易に変更することができ、画像表示装置の模様や色のバリエーションを自由に選択することができる。
【発明を実施するための最良の形態】
【０００８】
表示パネルが空中に浮いているような感覚をユーザーに与えることができると共に、色のバリエーションが豊富であって、そのバリエーションの変更をユーザーが容易に行うことができる画像表示装置を、簡単な構成によって実現した。
【０００９】
以下、本発明の実施の形態を、添付図面を参照して説明する。図１〜図１５は、本発明の実施の形態の例を説明するものである。即ち、図１は本発明の画像表示装置の一実施例を正面側から見た斜視図、図２は同じくカバーフレームを取り外した状態の斜視図、図３は同じく装置全体の分解斜視図、図４は同じく背面側から見た斜視図、図５は取付フレームの一実施例を示す正面図、図６は図５に示す取付フレームの分解斜視図、図７は図５に示す取付フレームの要部を背面側から見た斜視図、図８は図５に示す取付フレームとカバーフレームの要部を正面側から見た斜視図、図９は取付フレームとカバーフレームの組立状態の断面図、図１０は取付フレームの組立状態の断面図、図１１Ａ、Ｂ及びＣはレール部材の側面図、底面図及び正面図、図１２Ａ及びＢはコーナー部材の平面図及び斜視図、図１３はスピーカボックスの斜視図、図１４はスタンドの斜視図、図１５はスタインドの分解斜視図である。
【００１０】
図１〜図１５には、本発明の画像表示装置の第１の実施の例として液晶ディスプレイテレビ１を示している。この液晶ディスプレイテレビ１は、テレビジョン受像機として画像を表示するものであり、いわゆる薄型の画像表示装置である。しかしながら、この発明に係る画像表示装置としては、この実施例の液晶ディスプレイテレビ１に限定されるものではなく、プラズマディスプレイテレビ、プロジェクタその他の画像を表示可能な各種の表示装置に適用できるものであることは勿論である。
【００１１】
この液晶ディスプレイテレビ１は、図１〜図４に示すように、表示パネル３ａを有する装置本体部２と、この装置本体部２を下方から支えて支持するスタンド８とから構成されている。装置本体部２とスタンド８を組み合わせたものがスタンド付き液晶ディスプレイテレビ１であり、スタンド８を除いた装置本体部２のみからなるものが壁掛け式液晶ディスプレイテレビ１である。
【００１２】
まず、装置本体部２について説明する。装置本体部２は、表示パネル３ａを有する表示パネルユニット３と、この表示パネルユニット３が取り付けられる取付フレーム４と、この取付フレーム４に取り付けられるカバーフレーム５と、取付フレーム４に取り付けられるスピーカユニット６と、表示パネルユニット３の背面側を覆うバックカバー７等を備えて構成されている。表示パネルユニット３は、平面状に展開された表示面を有する表示パネル３ａと、入力される画像信号や音声信号等の電気信号を制御して表示パネル３ａの画面上に画像を表示したりスピーカユニット６のスピーカ装置から音声を出力したりする駆動制御装置等から構成されている。
【００１３】
表示パネル３ａは、スクリーンとしての表示面を有する横長で長方形の発光デバイスである液晶ディスプレイパネル（ＬＤＰ）と、このＬＤＰの周囲を囲うようにして保持する枠部材９と、この枠部材９内においてＬＤＰの背面を覆うように配置された図示しないバックライト等から構成されている。この表示パネル３ａの背面に駆動制御装置が取り付けられている。図示しないが、駆動制御装置は、電源回路を有する電源基板や駆動回路その他の電気回路を有する回路基板と、これらの基板等を支持するベースプレート等からなり、そのベースプレートにＬＤＰと電源基板及び回路基板等が組み立てられて一体的に構成されている。
【００１４】
この実施例の取付フレーム４は、図５〜図７に示すように、別部材として個別に形成されたアウターフレーム１１と、このアウターフレーム１１よりやや小さく形成されたインナーフレーム１２との組み合わせからなっている。即ち、アウターフレーム１１及びインナーフレーム１２は、表示パネル３ａの表示面に見合う大きさの長方形の開口部１３，１４を有する長方形の枠体からなり、アウターフレーム１１の内側縁とインナーフレーム１２の外側縁とを重ね合わせ、その重合部分を複数個の固定ねじでネジ止めすることによって一体的に構成されている。そして、インナーフレーム１２の開口部１４から表示パネル３ａの表示面が露出されている。
【００１５】
アウターフレーム１１は、図６に示すように、上下方向に対向された互いに平行をなす上部片１１ａ及び下部片１１ｂと、左右方向に対向された互いに平行をなす左右の側部片１１ｃ，１１ｄとを有している。アウターフレーム１１の内縁には、インナーフレーム１２やスピーカユニット６を取り付けるために内側に張り出したフランジ部１１ｅが設けられている。フランジ部１１ｅは、アウターフレーム１１の内縁に沿って、４箇所の角部とその中間部等の必要な部分に間欠的に配置されている。このフランジ部１１ｅには、図７において要部を拡大して示すように、インナーフレーム１２をネジ止めするために固定ねじ１５のねじ軸部が挿入される挿入孔１６が複数箇所に設けられている。
【００１６】
また、アウターフレーム１１の下部片１１ｂを除く残り三片１１ａ，１１ｃ，１１ｄの外縁には、図５及び図６等に示すように、アウターフレーム１１の強度を高めるように補強すると共にその外縁を縁取るレール部材１７が取り付けられる突条部１８が設けられている。上部片１１ａには上突条部１８ａが設けられ、左右の側部片１１ｃ，１１ｄには横突条部１８ｂ，１８ｃがそれぞれ設けられている。これに対して、下部片１１ｂには、突条部１８は設けられていない。その理由は、後述するように、レール部材１７を組み付ける組立工程上の都合によるものである。
【００１７】
アウターフレーム１１に設けた各突条部１８ａ〜１８ｃは、上部片１１ａ及び左右側部片１１ｃ，１１ｄにおいて、一方の角部の近傍から他方の角部の近傍まで外縁に沿って、それぞれ連続するように形成されている。これにより、アウターフレーム１１の外縁の４つの角部には、突条部の無い平面からなるコーナー部１９がそれぞれ設けられている。４つのコーナー部１９には、後述するコーナー部材４６がそれぞれ着脱可能に装着される。そして、下部片１１ｂを含む４つの片１１ａ〜１１ｄには、後述するようにレール部材がそれぞれ装着されて組み立てられている。
【００１８】
アウターフレーム１１の各突条部１８ａ〜１８ｃは、図９及び図１０に示すように、アウターフレーム１１の一面側に突出する２つの第１のリブ部２１ａ，２１ｂと、他面側に突出する２つの第２のリブ部２２ａ，２２ｂからなっている。２つの第１のリブ部２１ａ，２１ｂ及び２つの第２のリブ部２２ａ，２２ｂは、内外方向に適当な間隔をあけてそれぞれ平行に設けられている。この実施例では、２つの第２のリブ部２２ａ，２２ｂは、その高さが等しく設定されているが、２つの第１のリブ部２１ａ，２１ｂにおいては、内側に配置されたリブ部２１ｂの高さを低くすることにより、レール部材の一面に斜面部が形成されるように構成している。そして、各突条部１８ａ〜１８ｃの第２のリブ部２２ａ，２２ｂ側には、固定ねじでレール部材を締付固定するためのねじ孔が、長手方向に適当な間隔をあけて複数箇所に設けられている。
【００１９】
このアウターフレーム１１の材質としては、例えば、ポリカーボネート（ＰＣ）、アクリロニトリル・ブタジエン・スチレン樹脂（ＡＢＳ）等の合成樹脂のうち、透明なものを用いて、射出成形等によって一体に形成する。この実施例の場合、アウターフレーム１１の全体が透明な合成樹脂によって形成されていて、取付フレーム４の外側に設けられた透明部を構成している。しかしながら、透明な合成樹脂と不透明な合成樹脂とを用いて２色成形を行い、例えば、外側を透明な合成樹脂で枠状に形成して透明部を設け、内側は不透明な合成樹脂で枠状に形成して不透明部を設け、アウターフレーム１１の一部のみに透明部を設ける構成としてもよい。
【００２０】
インナーフレーム１２は、上下方向に対向された互いに平行をなす上部片１２ａ及び下部片１２ｂと、左右方向に対向された互いに平行をなす左右の側部片１２ｃ，１２ｄを有している。インナーフレーム１２の上部片１２ａ、下部片１２ｂ及び左右の側部片１２ｃ，１２ｄには、アウターフレーム１１をねじ止めするためのボス部２３が複数箇所に設けられている。複数のボス部２３は、アウターフレーム１１のフランジ部１１ｅに設けた挿入孔１６に対向されて、インナーフレーム１２の外縁に沿って配置されている。そして、各ボス部２３には、頂面に開口するねじ孔が設けられている。
【００２１】
このインナーフレーム１２の側部片１２ｃ，１２ｄの外側には、スピーカユニット６をそれぞれ取り付けるためのスピーカ取付部１２ｅ，１２ｆが設けられている。各スピーカ取付部１２ｅ，１２ｆには、スピーカユニット６に収納されたスピーカ装置の発音部を露出させるための複数のスピーカ用穴２４ａ，２４ｂがそれぞれ設けられている。この実施例では、各スピーカ取付部１２ｅ，１２ｆには、２つの低音用スピーカ装置のための２つの第１のスピーカ用穴２４ａ，２４ａと、１つの高音用スピーカ装置のための１つの第２のスピーカ用穴２４ｂが設けられている。
【００２２】
インナーフレーム１２の各スピーカ取付部１２ｅ，１２ｆにおいて、２つの第１のスピーカ用穴２４ａ，２４ａは上下方向に所定の隙間をあけて配置されており、２つの第１のスピーカ用穴２４ａ，２４ａの間に第２のスピーカ用穴２４ｂが配置されている。左右のスピーカ取付部１２ｅ，１２ｆは、組立時には、アウターフレーム１１の左右の側部片１２ｃ，１２ｄの内側に配置される。そして、各スピーカ取付部１２ｅ，１２ｆの内面に、ユニット化された左右のスピーカユニット６，６が固定ねじ等の固着手段によって着脱可能に取り付けられている。左右のスピーカユニット６，６は、左右対称の形状及び構成とされており、図１３に示すような、スピーカボックス２５を備えている。
【００２３】
スピーカボックス２５は、上下方向に長く形成され且つ前面に開口された筐体からなるボックス本体２６と、そのボックス本体２６の前面の開口部を閉じるフロント蓋体２７とからなっている。フロント蓋体２７には、低音用スピーカ装置が取り付けられる２つの低音スピーカ取付座２８ａ，２８ａと、高音用スピーカ装置が取り付けられる１つの高音スピーカ取付座２８ｂが設けられている。これら３つのスピーカ取付座２８ａ，２８ｂは、インナーフレーム１２の各スピーカ取付部１２ｅ，１２ｆに設けた３つのスピーカ用穴２４ａ，２４ｂに見合う大きさで対応する位置に配置されている。
【００２４】
即ち、スピーカボックス２５には、上下方向に所定の間隔をあけて２つの低音スピーカ取付座２８ａ，２８ａが配設され、その略中間部に高音スピーカ取付座２８ｂが配設されている。低音スピーカ取付座２８ａには上下方向に延びる楕円形の長穴２９ａが設けられ、高音スピーカ取付座２８ｂには円形の丸穴２９ｂが設けられている。これらの長穴２９ａ及び丸穴２９ｂには、各スピーカ装置のボイスコイルが挿入され、それぞれのコーンエッジを座面に着座させた状態で低音用スピーカ装置及び高音用スピーカ装置が、それぞれのスピーカ取付座２８ａ，２８ｂに固定ねじ等の固着手段によって固定されている。
【００２５】
更に、スピーカボックス２５には、スピーカユニット６をインナーフレーム１２に取り付けるための４個の取付ブラケットが設けられている。４個の取付ブラケットは、フロント蓋体２７の上端部に設けた上部取付ブラケット３１ａと、フロント蓋体２７の下端部に設けた下部取付ブラケット３１ｂと、フロント蓋体２７の長手方向である上下方向の略中間部に設けた中部取付ブラケット３１ｃと、ボックス本体２６の上下方向の略中間部であって中部取付ブラケット３１ｃの反対側に設けた本体取付ブラケット３１ｄとからなっている。そして、各取付ブラケット３１ａ〜３１ｄには、それぞれ外側に開口された挿通孔３２が設けられている。
【００２６】
図１３に示すスピーカボックス２６は、インナーフレーム１２に向って左側に配置されたスピーカ取付部１２ｅに着脱可能に取り付けられる左配置用のものである。右配置用のスピーカボックスは、図示しないが、左配置用のスピーカボックス２６と左右対称の形状及び構造とされており、インナーフレーム１２の右側に配置されたスピーカ取付部１２ｆに着脱可能に取り付けられる。
【００２７】
また、インナーフレーム１２には、カバーフレーム５を着脱可能に取付けるための貫通穴３３が複数箇所に複数個設けられている。複数の貫通穴３３は、インナーフレーム１２の上下部片１２ａ，１２ｂ及び左右側部片１２ｃ，１２ｄの４片１２ａ〜１２ｄに略等間隔に配置されている。そして、各貫通穴３３には、弾性を有するゴムやプラスチック等からなるブシュ３５がそれぞれ嵌合されている。
【００２８】
ブシュ３５は、図９に示すように、円筒状の筒軸部３５ａと、その筒軸部３５ａの軸方向の一端に設けた外向きのフランジ部３５ｂと、筒軸部３５ａの軸方向の他端に設けたストッパ部３５ｃとからなっている。ストッパ部３５ｃは、先端側を逐次的に小径とした円錐形をなしており、その先端から貫通穴３３に挿入して筒軸部３５ａを貫通穴３３に嵌合することにより、ブシュ３５がインナーフレーム１２に固定されている。このとき、フランジ部３５ｂは、カバーフレーム５の表側に配置され、このフランジ部３５ｂ側にカバーフレーム５の係合凸部が着脱可能に係合される。
【００２９】
インナーフレーム１２の材質としては、例えば、ポリカーボネート（ＰＣ）、アクリロニトリル・ブタジエン・スチレン樹脂（ＡＢＳ）等の合成樹脂のうち、不透明なものを用いて、射出成形等によって一体に形成する。この実施例の場合、インナーフレーム１２の全体が不透明な合成樹脂によって形成されていて、取付フレーム４の内側に設けられた不透明部を構成している。しかしながら、インナーフレーム１２は、透明な合成樹脂を使用して成形した後、不透明な塗料を塗付する等して、最終的に不透明なものに形成できれば、それでも構わない。
【００３０】
カバーフレーム５は、装飾性を高め、斬新なデザインを可能とする等を主な目的として、主にデザイン性の観点から用いられているが、スピーカグリルの役目等も果している。このカバーフレーム５は、図２等に示すように、上下方向に対向された互いに平行をなす上部片５ａ及び下部片５ｂと、左右方向に対向された互いに平行をなす左右の側部片５ｃ，５ｄを有している。このカバーフレーム５は、図９等に示すように、アウターフレーム１１よりは少し小さく、インナーフレーム１２よりは少し大きな長方形の枠体からなり、アウターフレーム１１とインナーフレーム１２との境目を覆い隠すことができる大きさとされている。
【００３１】
このカバーフレーム５で、取付フレーム４の透明部と不透明部との境目、或いはその境目の近傍を覆うことにより、斬新なデザイン性を可能とすると共に、カバーフレーム５を他の色や模様を有するカバーフレームと交換することにより外観上から新たな画像表示装置を観念させることが可能となる。そのため、カバーフレーム５の背面には、インナーフレーム１２に設けたブシュ３５の数と同数の係合凸部３６が設けられている。これらの係合凸部３６は、インナーフレーム１２のブシュ３５と対応する位置に設けられている。
【００３２】
各係合凸部３６は、インナーフレーム１２の背面に設けたボス部３７の中央に立設されており、先端からボス部３７まで達するスリット３６ａを設けることによって適度な弾性を付与している。更に、係合凸部３６の先部には、半径方向の外側に突出する突起３６ｂが設けられている。この係合凸部３６の突起３６ｂはブシュ３５の穴の内面に係合され、これにより、インナーフレーム１２がカバーフレーム５を保持する適当な保持力を付与し、カバーフレーム５の脱落を防止している。この係合凸部３６とブシュ３５とによって、取付フレーム４にカバーフレーム５を着脱可能に取り付けることができる連結手段が構成されている。
【００３３】
更に、カバーフレーム５の略全面には、図８及び図９に示すように、その表裏面間を貫通する直径の微細な多数の透孔４１と、その表面側にのみ開口された直径の微細な多数の不透孔４２とが設けられている。透孔４１は、スピーカ装置から放射される音を液晶ディスプレイテレビ１の前方に放射させるための孔であり、微細ではあるが、音を通過させることができる大きさを有している。この透孔４１の直径は、例えば、１ｍｍ〜２ｍｍ程度が好適である。不透孔４２は、透孔４１を擬装して設けたもので、スピーカ装置からの音を通過させることはないが、あたかもそこにスピーカ装置が存在して、そこから音が放射されているような感覚を視覚の面からユーザーに与えることを主な目的として設けたものである。そのため、不透孔４２の直径は、透孔４１と同様にすることが好ましく、例えば、１ｍｍ〜２ｍｍ程度が好適である。
【００３４】
このような透孔４１及び不透孔４２の機能（性格）から、透孔４１は、カバーフレーム５の全面のうち、前記インナーフレーム１２に設けたスピーカ取付部１２ｅ，１２ｆに取り付けられたスピーカ装置の発音部（例えば、コーンの前面）に対向させて設けるようにする。そして、カバーフレーム５の全面のうち、透孔４１を設けた部分を除くその他の部分には、不透孔４２を配置するようにする。透孔４１及び不透孔４２の配置は、例えば、孔間のピッチを２〜３ｍｍに設定し、縦横共に整列させて配置してもよく、また、隣同士で位置をずらして千鳥状に整列させて配置してもよく、或いは全くのランダムに配置する構成としてもよい。
【００３５】
このような形状・構成を有するカバーフレーム５の材質としては、例えば、ポリカーボネート（ＰＣ）、アクリロニトリル・ブタジエン・スチレン樹脂（ＡＢＳ）等の合成樹脂を用いて、射出成形等によって一体に形成することが好ましい。しかしながら、合成樹脂以外にも、アルミニウムその他の金属材料等を用いることもできる。このカバーフレーム５に用いる合成樹脂は、透明なものであってもよく、また、不透明なものであってもよい。更に、カバーフレーム５の色は、使用する材料自体の色であっても良い。そして、カバーフレーム５のデザイン性、装飾性等の使用目的や機能等を考慮して、適宜な色の塗料で塗装したものや、金属メッキを施したもの、或いは適宜な模様を描いたもの等を、ユーザーが好みに応じて交換使用できるようにする。
【００３６】
このカバーフレーム５と前記アウターフレーム１１及びインナーフレーム１２を組み合わせることにより、後方を透視可能な透視部と、後方を覆い隠す不透視部を構成することができる。この実施例では、カバーフレーム５によって覆われる部分と後述するレール部材によって覆われる部分とを除いて、アウターフレーム１１のみからなる透明部が、後方を透視可能な透視部１５を構成している。具体的には、カバーフレーム５の外縁に沿って形成された長方形をなす枠状の部分が、後方を透視可能な透視部２０を構成している。
【００３７】
この実施例では、アウターフレーム１１を透明な材料で形成すると共にインナーフレーム１２を不透明な材料で形成し、これらを組み合わせて取付フレームを構成したが、本発明はこれに限定されるものではなく、アウターフレーム１１とインナーフレーム１２を射出成形等によって一体に形成し、取付フレームを１枚の枠体として構成することができることは勿論である。この場合、透明な合成樹脂と不透明な合成樹脂を材料として用い、射出成形による２色成形によって透明部と不透明部を構成してもよい。また、透明な合成樹脂で取付フレームの全体を形成し、その後、塗装やメッキ等を施して不透明部として、透明部と不透明部を構成するようにしてもよい。
【００３８】
アウターフレーム１１の外縁に取り付けられるレール部材１７は、図１１Ａ〜Ｃに示すような構成を有している。即ち、レール部材１７は、アウターフレーム１１の突条部１８ａ〜１８ｃの外面に対向される平面部１７ａと、この平面部１７ａの幅方向の両側に連続された一対の側面部１７ｂ，１７ｃとからなっている。平面部１７ａは、突条部１８ａ〜１８ｃの外面を覆うことができる幅を有しており、その幅方向の一側において、内側へ適度な角度（例えば４５度〜６０度）に傾斜した状態で第１の側面部１７ｂが一面側へ突出するように設けられている。そして、平面部１７ａの他側において、略９０度に折り曲げた状態で第２の側面部１７ｃが第１の側面部１７ｂと同一面側へ突出するように設けられている。
【００３９】
レール部材１７の第１の側面部１７ｂは、アウターフレーム１１の前面側に配置され、第２の側面部１７ｃが後面側に配置される。これら平面部１７ａと前後の側面部１７ｂ，１７ｃで囲まれる空間内に突条部１８ａ〜１８ｃがそれぞれ挿入される。この場合、突条部１８ａ〜１８ｃには、前面側と後面側とに突出する第１のリブ部２１ａ，２１ｂ及び第２のリブ部２２ａ，２２ｂがそれぞれ設けられていて、第２のリブ部２２ａ，２２ｂに第１及び第２の側面部１７ｂ，１７ｃの内面先部が係合されるため、突条部１８ａ〜１８ｃが延びる方向と直交する方向にレール部材１７を抜き取ることはできない。
【００４０】
これに対して、レール部材１７の形状は突条部１８ａ〜１８ｃの形状に対応した形状とされているため、リブ部の形状が連続する方向へスライドさせることにより、突条部１８ａ〜１８ｃに対してレール部材１７を簡単に挿入することができる。このようなレール部材１７の組立方法は、突条部１８ａ〜１８ｃが設けられているアウターフレーム１１の３辺に対して適用されるもので、残りの１辺である下部片１１ｂにおいては、前後の両面が平面部とされているため、下方から上方へ向けて差し込んで取り付けることができる。
【００４１】
更に、レール部材１７の第２の側面部１７ｃには、長手方向へ適宜な間隔をあけて複数の挿入穴４４が設けられている。これらの挿入穴４４は、レール部材１７を突条部１８ａ〜１８ｃにネジ止めするためのものである。図１０に示すように、挿入穴４４に挿入された固定ねじ４５のねじ軸部を突条部１８ａ〜１８ｃの側面に設けたねじ孔に螺合して締め付けることにより、レール部材１７がアウターフレーム１１の４つの辺に、それぞれねじ止めされて一体的に取り付けられる。このような構成を有するレール部材１７が、アウターフレーム１１の４つの辺に対応して４個設けられている。即ち、アウターフレーム１１の４つの辺には、上下に配置された上レール部材１７ａ及び下レール部材１７ｂと、左右に配置された左レール部材１７ｃ及び右レール部材１７ｄとが装着されている。
【００４２】
また、アウターフレーム１１の４つの角部には、それぞれコーナー部材４６が取り付けられている。コーナー部材４６は、図１２Ａ，Ｂに示すような構成を有している。即ち、コーナー部材４６は、コーナーに配置されるコーナー部４６ａと、このコーナー部４６ａの両側に連続するアーム部４６ｂ，４６ｃとからなっている。２つのアーム部４６ｂ，４６ｃは、アウターフレーム１１の各コーナーに対応するよう９０度をなす方向に延在されている。各アーム部４６ｂ，４６ｃには、隣合う位置に配置されるレール部材１７の各端部が挿入される。そして、各レール部材１７の端面が、コーナー部４６ａの両端面にそれぞれ当接される。
【００４３】
更に、コーナー部材４６の２つのアーム部４６ｂ，４６ｃには、固定ねじのねじ軸部が挿入される挿入穴４７が設けられている。これらの挿入穴４７は、コーナー部材４６をアウターフレーム１１の各コーナーにネジ止めするためのものである。これら４個のコーナー部材４６と４個のレール部材１７ａ〜１７ｄによってアウターフレーム１１の全周が縁取られている。なお、レール部材１７及びコーナー部材４６の材質としては、例えば、アルミニウム合金が好適であるが、その他の金属を用いることができることは勿論のこと、金属以外のエンジニアリングプラスチック等を用いることもできる。
【００４４】
このようにコーナー部材４６等によって縁取られたアウターフレーム１１の背面に、バックカバー７が固定ねじ等の固着手段によって着脱可能に取り付けられている。バックカバー７は、アウターフレーム１１の背面に取り付けられた表示パネルユニット３等を覆って保護するものである。図１及び図４に示すように、バックカバー７の側面部には各種の接続端子を露出させたり電源コードを引き出す等するための開口部４８が設けられている。
【００４５】
前述したような構成を有する装置本体部２は、例えば、次のようにして簡単に組み立てることができる。まず、表示パネルユニット３を構成する。これは、表示パネル３ａを枠部材９で囲うと共に、その背面にバックライトを取り付けることによって行うことができる。その後、表示パネルユニット３の背面に駆動制御装置を取り付ける。
【００４６】
次に、アウターフレーム１１とインナーフレーム１２を組み合わせて取付フレーム４を構成する。まず、図６及び図７に示すように、アウターフレーム１１の前方にインナーフレーム１２を対向させ、アウターフレーム１１の内縁とインナーフレーム１２の外縁を重ね合わせる。これにより、図１０に示すように、アウターフレーム１１に設けたフランジ部１１ｅとインナーフレーム１２に設けた複数のボス部２３とが重ね合わされ、フランジ部１１ｅの挿入孔１６がボス部２３のねじ孔に合致される。そこで、固定ねじ１５のねじ軸部を挿入孔１６を介してねじ孔に螺合させて締め込むようにする。これにより、複数本の固定ねじ１５を介して、アウターフレーム１１とインナーフレーム１２をしっかりとねじ結合することができる。
【００４７】
次に、アウターフレーム１１とインナーフレーム１２が一体に組み立てられた取付フレーム４の背面に、表示パネルユニット３を固定ねじ等の固着手段を用いて固定する。次いで、表示パネルユニット３の両側にスピーカユニット６，６を配置し、同じく固定ねじ等の固着手段を用いて取付フレーム４に一対のスピーカユニット６，６を固定する。そして、取付フレーム４の背面にバックカバー７をねじ止めし、そのバックカバー７で表示パネルユニット３等を覆い隠すようにする。
【００４８】
これと前後して、アウターフレーム１１の４つの外縁に、レール部材１７とコーナー部材４６を取り付ける。まず、アウターフレーム１１の上縁に設けた上突条部１８ａに上レール部材１７Ａを取り付ける。これは、上突条部１８ａの一方の側端部に上レール部材１７Ａの長手方向の一端を対向させ、その空間部を上突条部１８ａに合わせて、アウターフレーム１１の側方から横方向へ上レール部材１７Ａをスライドさせる。これにより、上突条部１８ａにガイドされて上レール部材１７Ａがアウターフレーム１１の上縁に装着される。そして、上レール部材１７Ａをアウターフレーム１１の上縁の略中央部に配置する。
【００４９】
次に、アウターフレーム１１の上縁の両角部にコーナー部材４６をそれぞれ装着する。このとき、コーナー部材４６の一方のアーム部を水平にして内側へスライドさせることにより、そのアーム部を上レール部材１７Ａの空間部内に入り込ませることができる。そして、角部に突き当たるまでコーナー部材４６を挿入する。これにより、両角部において、コーナー部材４６の位置決めがなされる。
【００５０】
次に、アウターフレーム１１の左右の側縁に、両サイドの横レール部材１７Ｃ，１７Ｄを取り付ける。これは、各横レール部材１７Ｃ，１７Ｄの上端を左右の横突条部１８ｂ，１８ｃの下端に対向させ、その空間部を横突条部１８ｂ，１８ｃに合わせて、アウターフレーム１１の下方から上方へ横レール部材１７Ｃ（又は１７Ｄ）をスライドさせる。これにより、横突条部１８ｂ（又は１８ｃ）にガイドされて横レール部材１７Ｃ（又は１７Ｄ）がアウターフレーム１１の側縁に装着される。そして、各横レール部材１７Ｃ，１７Ｄの上端を、アウターフレーム１１の上縁の各角部に装着されているコーナー部材４６に突き当てる。
【００５１】
次いで、アウターフレーム１１の下縁の両角部にコーナー部材４６をそれぞれ装着する。このとき、コーナー部材４６の一方のアーム部を垂直にして上方へスライドさせることにより、そのアーム部を横レール部材１７Ｃ（又は１７Ｄ）の空間部内に入り込ませることができる。そして、角部に突き当たるまでコーナー部材４６を挿入する。これにより、両角部において、コーナー部材４６の位置決めがなされる。
【００５２】
次に、アウターフレーム１１の下縁に、下レール部材１７Ｂを取り付ける。これは、下レール部材１７Ｂの開口溝をアウターフレーム１１の下縁に臨ませた状態で、そのまま上方に押し上げて嵌め込むことにより、下レール部材１７Ｂがアウターフレーム１１の下縁に取り付けられる。この際、両角部に取り付けた各コーナー部材４６のアーム部は、アウターフレーム１１の下縁の幅と同一であるため、両者は共に下レール部材１７Ｂの溝内に収容される。
【００５３】
このように４つのレール部材１７を全てアウターフレーム１１に取り付けた後、或いは各レール部材１７を取り付けた後にそのまま続けて、それらのレール部材１７をそれぞれ固定ねじ５１でアウターフレーム１１にねじ止めする。これにより、４つの角部にコーナー部材４６をそれぞれ配置した状態で、アウターフレーム１１の４つの辺が４本のレール部材１７によってすべて縁取りされる。
【００５４】
次に、取付フレーム４にカバーフレーム５を取り付ける。これは、図８に示すように、取付フレーム４の前にカバーフレーム５を臨ませる。そして、図９に示すように、カバーフレーム５の上部片５ａ、下部片５ｂ及び左右の側部片５ｃ，５ｄの各背面に設けた複数の係合凸部３６を、取付フレーム４のインナーフレーム１２に設けた複数のブシュ３５に嵌合する。即ち、すべての係合凸部３６をブシュ３５の穴に位置合わせし、カバーフレーム５の全体をインナーフレーム１２側に押圧する。その結果、係合凸部３６がブシュ３５を弾性変形させて内部に入り込み、その先端に設けた突起３６ｂがブシュ３５の穴の内面に係合される。これにより、カバーフレーム５が取付フレーム４の前面に適度な力によって係合保持される。
【００５５】
このカバーフレーム５の取り付け作業（取り外し作業も同様）は、作業の熟練者は勿論のこと、一般のユーザーであっても、極めて簡単におこなうことができる。即ち、カバーフレーム５は、表示面の目立つ部分に広い占有面積で配置されているため、その部分の色や模様等を変えることによって、その液晶ディスプレイテレビ１のデザインを大きく変更することができる。このとき、カバーフレーム５の着脱作業をユーザーが簡単に行うことができるため、ユーザーが自らカバーフレーム５を交換することにより、新たな液晶ディスプレイテレビ１を得たような感覚で視聴等を楽しむことができる。このカバーフレーム５の交換作業は、例えば、カバーフレーム５の対角線方向の２箇所を同時に、或いは前後して引き剥がすことにより、それだけで簡単に実行することができる。
【００５６】
また、図１及び図４等に示すように、表示パネル３ａの周囲は、その全体が取付フレーム４によって囲われており、その内側に配置された不透明な材料で形成されたインナーフレーム１２の色で縁取りされている。これに対して、インナーフレーム１２との組み合わせによって取付フレーム４を構成する外側に配置されたアウターフレーム１１は透明な材料で形成されており、その透明部分は、インナーフレーム１２の全体を囲うように全周に渡って連続され、全体として枠状に構成されている。そして、アウターフレーム１１の４辺の外縁には４本のレール部材１７がそれぞれ装着され、４つの角部には４個のコーナー部材４６がそれぞれ装着されて固定されており、各部材が有する色によってアウターフレーム１１の外縁全体が縁取りされている。
【００５７】
即ち、表示パネル３ａを保持する取付フレーム４が、内側に配置された不透明な材料で形成されたインナーフレーム１２による枠状の内側不透明部と、その外側に配置された透明な材料で形成されたアウターフレーム１１による枠状の透明部と、更にその外側に配置された不透明な材料で形成されたレール部材１７による枠状の外側不透明部によって構成されている。これにより、表示パネル３ａの全体が、その全周を囲う透視部２０により、どの方向からも支持されていないような浮き上がった状態、いわゆるフローティング状態を現出させることができる。このような表示パネル３ａのフローティング状態を可能とすることにより、この種の画像表示装置における新たなデザイン性を作ることができ、デザインの自由度と創作性の向上とを図ることができる。
【００５８】
この場合、表示パネルユニット３の後方に配置される駆動制御装置と表示パネル３ａとの間を配線部材で接続する必要があるため、その配線部材を前記透明部に通過させる必要が生ずる場合があるが、その場合には、例えば、導電部材を透明な材料で形成するか、或いは極めて細い材料で形成するようにする。これにより、配線部材を目立たない存在とすることができ、この液晶ディスプレイテレビ１を視認したときに見た目の違和感をなくし、良好なデザイン性を維持することができる。
【００５９】
また、カバーフレーム５は、これを取付フレーム４に取り付けると、その取付フレーム４に取り付けられたスピーカユニット６の各スピーカ装置の前面を覆い隠すことになるが、そのカバーフレーム５には、スピーカ装置の音を通過させるための多数の透孔４１が設けられているため、これがスピーカ装置の障害となることがなく、スピーカ装置の音を確実に放射することができる。しかも、カバーフレーム５が適度な剛性を有するため、スピーカ装置のカバーとしての機能をしっかりと果すことができる。
【００６０】
更に、カバーフレーム５の全面には、前記多数の透孔４１とは別に、その透孔４１を偽装した多数の不透孔４２が設けられているため、表示パネル３ａの全周からスピーカ装置の音が放射されているような感覚をユーザーに与えることができる。その結果、マルチサウンドのような感覚をユーザーに付与し、臨場感のある仮想的な音響効果を楽しむことができる。
【００６１】
このようなカバーフレーム５を取付フレーム４に組み立てることにより、装置本体部２の組立作業が完了する。これにより、スタンドの無い状態の液晶ディスプレイ装置１が得られる。この液晶ディスプレイ装置１は、例えば、壁掛けテレビとして使用される。
【００６２】
次に、このような構成を有する液晶ディスプレイ装置１を支持するスタンドについて説明する。図１４及び図１５は、この液晶ディスプレイ装置１に用いて好適なスタンドの一実施例を示すものである。このスタンド８は、板金によって平板状に形成されたベース部６１と、このベース部６１の上面に立設された２本の支柱部６２，６２と、ベース部６１の後部から２本の支柱部６２，６２の基部に渡る部分を覆う固定カバー６３と、ベース部６１の前部を覆う着脱カバー６４とから構成されている。
【００６３】
スタンド８のベース部６１は、装置本体部２を支えて前後方向及び左右方向への倒れを防止するために適当な面積を有する金属製の板体からなり、全体が略長方形とされていて、後部には円弧状の突出部６１ａが設けられている。このベース部６１の上面の、長手方向両側の後部寄りに、２本の支柱部６２，６２が横方向に適当な間隔をあけて立設されている。各支柱部６２は、断面形状が四角形をなす柱状の部材からなり、下端部に設けた複数の外向きフランジ部をねじ止めすることによってベース部６１と一体的に構成されている。この２本の支柱部６２，６２の基部が、固定カバー６３によって覆われている。
【００６４】
固定カバー６３は、２本の支柱部６２，６２の高さ方向の中途部からベース部６１の後部に至る部分を覆うことができる中空の筐体からなり、下面に開口されている。そして、固定カバー６３の上面の２箇所に、２本の支柱部６２，６２がそれぞれ挿通される挿通穴６３ａが設けられている。この固定カバー６３は、上方から被せるようにすることによってベース部６１に装着され、複数の固定ねじでベース部６１に締付固定されている。この固定カバー６３の長手方向の両端部には、着脱カバー６４をロックして係合保持するロック片６５がそれぞれ設けられている。この２つのロック片６５間に、着脱カバー６４の一部が係合される係合受部６３ａが設けられている。
【００６５】
このような固定カバー６３に対して着脱カバー６４は、ベース部６１の前部に着脱可能に構成されている。着脱カバー６４は、ベース部６１の前部を覆うことができる袋状の部材からなり、その開口部には、図示しないが、固定カバー６３に設けたロック片６５が係合されるロック凸部が設けられている。この着脱カバー６４は、図１５に示すように、水平方向へ移動することにより、ベース部６１に対して取り付けたり、取り外したりすることができるようになっている。
【００６６】
即ち、ロック片６５には弾性が付与されており、着脱カバー６４の挿入時、着脱カバー６４を所定位置まで挿入すると、着脱カバー６４がロック片６５を内側へ弾性変形させることによって挿入動作が可能となる。これに対して、着脱カバー６４を取り外す場合は、作業者が両手で各着脱カバー６４を内側へ弾性変形させるようにする。その結果、ロック片６５によるロックが解除され、固定カバー６３に対して着脱カバー６４がフリーな状態となる。そこで、着脱カバー６４を手前に引き抜くことにより、着脱カバー６４の取り外し作業を簡単に行うことができる。固定カバー６３及び着脱カバー６４の材質としては、エンジニアリングプラスチックが好適である。
【００６７】
このスタンド８で装置本体部２を支持することにより、図１及び図４に示すようなスタンド付の液晶ディスプレイテレビ１が得られる。このように、本実施例によれば、画面のサイズが大きい（例えば、４０インチ以上）ためにアウターフレームとインナーフレームの一体成形が困難な場合においても、表示パネルを保持するために必要な強度を十分に確保して各フレームを作ることができ、取付フレームの自由なデザインを可能とすることができる。更に、カバーフレームがユーザーによって着脱自在とされているため、このカバーフレームのカラーバリエーションや模様のバリエーションをオプションとして用意しておくことにより、特殊な工具を使用することなく、ユーザーが好みのカバーフレームと簡単に取り替えることができる。
【００６８】
また、装置本体部２や取付フレーム４等の搬送時、作業者がレール部材１７を持って搬送することが考えられるが、本実施例の場合には、そのレール部材１７を複数の固定ねじでアウターフレーム１１に固定しているため、重心の移動等によってレール部材１７が移動することがなく、安心して搬送することができる。しかも、レール部材１７が取り付けられるアウターフレーム１１の外縁には、リブ部を設けて強度を向上させているため、安全に搬送することができる。
【００６９】
本発明は、前述しかつ図面に示した実施の形態に限定されるものではなく、その要旨を逸脱しない範囲内で種々の変形実施が可能である。例えば、前記実施例においては、液晶ディスプレイテレビを適用した例について説明したが、プラズマディスプレイテレビ、プロジェクタ、その他の画面表示装置に適用できるものである。また、前記実施例では、表示パネルの外側に、その全周を連続して囲う枠状の透視部２０を設けた例について説明したが、透視部の形状は、この実施例のものに限定されるものではなく、例えば、表示パネルの上下の二辺若しくは左右の二辺にのみ、又は上下左右のいずれか三辺又はいずれか一辺にのみ透視部を設ける構成としてもよい。更に、前記透視部の上下・左右の各辺において、透明部を間欠的に配置して透視部を構成することもできる。
【図面の簡単な説明】
【００７０】
【図１】本発明の画像表示装置の第１の実施の例を示すもので、正面側から見た斜視図である。
【図２】本発明の画像表示装置の第１の実施の例を示すもので、カバーフレームを取り外した状態の斜視図である。
【図３】本発明の画像表示装置の第１の実施の例を示すもので、装置全体の分解斜視図である。
【図４】本発明の画像表示装置の第１の実施の例を示すもので、背面側から見た斜視図である。
【図５】本発明の画像表示装置の第１の実施の例に係る取付フレームの一実施例を示す正面図である。
【図６】図５に示す取付フレームの分解斜視図である。
【図７】図５に示す取付フレームの要部を背面側から見た斜視図である。
【図８】図５に示す取付フレームとカバーフレームの要部を正面側から見た斜視図である。
【図９】図５に示す取付フレームとカバーフレームの組立状態の要部を拡大した断面図である。
【図１０】図５に示す取付フレームの要部を拡大した断面図である。
【図１１】本発明の画像表示装置の第１の実施の例に係るレール部材を示すもので、同図Ａは側面図、同図Ｂは底面図、同図Ｃは正面図である。
【図１２】本発明の画像表示装置の第１の実施の例に係るコーナー部材を示すもので、同図Ａは平面図、同図Ｂは斜視図である。
【図１３】本発明の画像表示装置の第１の実施の例に係るスピーカボックスの斜視図である。
【図１４】本発明の画像表示装置の第１の実施の例に係るスタンドの斜視図である。
【図１５】図１４に示すスタンドの分解斜視図である。
【符号の説明】
【００７１】
１…液晶ディスプレイテレビ（画像表示装置）、  ２…装置本体部、  ３…表示パネルユニット、  ３ａ…表示パネル、  ４…取付フレーム、  ５…カバーフレーム、  ６…スピーカユニット、  ７…バックカバー、  ８…スタンド、  １１…アウターフレーム、  １２…インナーフレーム、  １３，１４…開口部、  １７，１７Ａ，１７Ｂ，１７Ｃ，１７Ｄ…レール部材、  １８，１８ａ，１８ｂ，１８ｃ…突条部、  ２０…透視部、  ２５…スピーカボックス、  ３５…ブシュ、  ３６…係合凸部、  ３７…ボス部、  ４１…透孔、  ４２…不透孔、  ４６…コーナー
【図１】
0004572828.tif 000002
【図２】
0004572828.tif 000003
【図３】
0004572828.tif 000004
【図４】
0004572828.tif 000005
【図５】
0004572828.tif 000006
【図６】
0004572828.tif 000007
【図７】
0004572828.tif 000008
【図８】
0004572828.tif 000009
【図９】
0004572828.tif 000010
【図１０】
0004572828.tif 000011
【図１１】
0004572828.tif 000012
【図１２】
0004572828.tif 000013
【図１３】
0004572828.tif 000014
【図１４】
0004572828.tif 000015
【図１５】
0004572828.tif 000016